(57)【要約】【課題】衣類を吊るすときの操作が容易なハンガーを提供する。【解決手段】ハンガー１０は、フック部２０と、フック部２０を支持する首部３０と、首部３０から左右方向に延びる一対の肩部４０とを備えている。首部３０には、肩部３０を開閉自在とするヒンジ部３１が形成されている。そして、一対の肩部４０には、一対の肩部４０が閉じたときに吸着する磁石５０と、一対の肩部４０に両端部が接続され、肩部４０を開く方向へ付勢する板ばね部６０とが設けられている。【選択図】  図１
0003217447.tif 000002
【実用新案登録請求の範囲】
【請求項１】
フック部と、前記フック部を支持する首部と、前記首部から左右方向に延びる一対の肩部とを備え、
前記首部には、前記肩部を開閉自在とするヒンジ部が形成され、
前記一対の肩部には、前記一対の肩部が閉じたときに吸着する磁石と、前記一対の肩部に両端部が接続され、前記肩部を開く方向へ付勢するばね部とが設けられたハンガー。
【請求項２】
前記ばね部は、幅方向の断面形状が円弧状に形成された請求項１記載のハンガー。
【請求項３】
前記磁石は、前記ばね部が折れ曲がり前記一対の肩部が閉じた状態のときに前記ばね部の復帰力に抗して吸着した状態を維持する磁力であり、前記一対の肩部のいずれか一方を下側にして傾斜させた状態であるときに、下側に位置した前記肩部の自重により吸着が外れる磁力を有する請求項１または２記載のハンガー。
【請求項４】
前記肩部には、前記ばね部を折り曲げるときに指を掛けるための突起部が形成された請求項１から３のいずれかの項に記載のハンガー。
【考案の詳細な説明】
【技術分野】
【０００１】
本考案は、ハンガー用パイプに掛け、衣類を収納したり、物干し竿に掛け、洗濯物を干したりするハンガーに関するものである。
【背景技術】
【０００２】
ハンガーは、衣類を収納したり乾かしたりする際に使用されるため、生活必需品とも言えるものである。ハンガーは衣類を支持する肩部が左右に張り出していることから、衣類を吊るすときには、裾からハンガーを入れたり、襟首を拡げてハンガーを入れたりしている。このような煩わしさから、例えば、特許文献１に記載された折りたたみハンガーが提案されている。
【０００３】
特許文献１に記載の折り畳み可能なハンガーは、上端を略逆立ちＵ字形に折り曲げした上側の吊り下げフック形成杆と棒状に形成した下側の衣類掛け棒とを回転軸を中心に略く字形に枢着してハンガーの片方の半部を形成し、他方の半部は回転軸を中心に開き止めを上側に、棒状に形成した衣類掛け棒を下側に略く字形に形成し、回転軸を中心に、左右の衣類掛け棒が開閉するというものである。そして、開き止めとしては、鈎形に折り曲げたものであったり、磁石としたりすることが記載されている。
【先行技術文献】
【特許文献】
【０００４】
【特許文献１】実開平５−１５８８１号公報
【考案の概要】
【考案が解決しようとする課題】
【０００５】
しかし、特許文献１に記載の折り畳み可能なハンガーでは、一対の衣類掛け棒を折り畳んだ状態とすることで、襟首から入れることができるが、衣類を吊るすときに、使用者が、衣類の中で、一対の衣類掛け棒を閉じた状態から開いた状態とする必要があり、開いた状態とした後に、一対の衣類掛け棒が開くことを、開き止めにより阻止させる必要がある。従って、この折り畳み可能なハンガーは、衣類を吊るすときの操作が煩雑である。
【０００６】
そこで本考案は、衣類を吊るすときの操作が容易なハンガーを提供することを目的とする。
【課題を解決するための手段】
【０００７】
本考案のハンガーは、フック部と、前記フック部を支持する首部と、前記首部から左右方向に延びる一対の肩部とを備え、前記首部には、前記肩部を開閉自在とするヒンジ部が形成され、前記一対の肩部には、前記一対の肩部が閉じたときに吸着する磁石と、前記一対の肩部に両端部が接続され、前記肩部を開く方向へ付勢するばね部とが設けられたことを特徴とする。
【０００８】
本考案のハンガーによれば、肩部が閉じた状態では磁石が吸着して肩部が閉じた状態を維持する。磁石を離間させれば、ばね部が肩部を開く方向へ付勢するため、肩部を開く状態とすることができる。従って、肩部を開く操作が容易である。
【０００９】
前記ばね部は、幅方向の断面形状が円弧状に形成されたものとすることができる。
ばね部の厚みが薄くても、直線状態のときは折れ曲がりにくく直線状態を維持しやすい。また、厚みが薄いばね部は、一旦、折れ曲がると、簡単に折り曲げることができる。従って、ばね部を軽量で構成することができる。また、ばね部が折れ曲がった状態を維持する磁石の磁力を強力なものとしなくてもよい。
【００１０】
前記磁石は、前記ばね部が折れ曲がり前記一対の肩部が閉じた状態のときに前記ばね部の復帰力に抗して吸着した状態を維持する磁力であり、前記一対の肩部のいずれか一方を下側にして傾斜させた状態であるときに、下側に位置した前記肩部の自重により吸着が外れる磁力を有するものとすることができる。
本考案のハンガーを傾斜させるだけで磁石同士を離間させることができるため、簡単な操作でスピーディに肩部を閉じた状態から開いた状態へ復帰させることができる。
【００１１】
前記肩部には、前記ばね部を折り曲げるときに指を掛けるための突起部が形成されたものとすることができる。肩部とばね部とを２本の指で挟んで肩部を閉じる際に、肩部に一方の指を滑らせることなく、他方の指でばね部を押圧して折り曲げることができる。
【考案の効果】
【００１２】
本考案のハンガーによれば、磁石を離間させれば、ばね部により肩部が開くため、それぞれの肩部を持って開く操作が不要なので、衣類を吊るすときの操作が容易である。
【図面の簡単な説明】
【００１３】
【図１】本考案の実施の形態に係るハンガーを示す図であり、肩部が開いた状態を示す図である。
【図２】図１に示すハンガーの板ばね部におけるばね部材の幅方向の断面図である。
【図３】図１に示すハンガーの肩部が閉じた状態の図である。
【考案を実施するための形態】
【００１４】
本考案の実施の形態に係るハンガーを図面に基づいて説明する。
図１に示すように、本実施の形態に係るハンガー１０は、衣類を掛けるためのものである。ハンガー１０は、フック部２０と、フック部２０を支持する首部３０と、首部３０から左右方向に延びる一対の肩部４０とを備えている。
【００１５】
フック部２０は、タンスに配置されたハンガー用パイプや、押し入れに設置されたパイプ、物干し竿などに引っ掛けるものである。
首部３０は、フック部２０の下端２０ａに連接されている。首部３０の下端には凹部３０ａが形成され、肩部４０の一端部４０ａが差し込まれている。首部３０には、凹部３０ａに差し込まれた肩部４０を開閉自在とするヒンジ部３１が形成されている。
一対の肩部４０には、一対の肩部４０が閉じたときに吸着する一対の磁石５０と、一対の肩部４０に両端部が接続された板ばね部６０とが設けられている。
【００１６】
肩部４０は、首部３０に一端部４０ａが差し込まれた軸部４１と、軸部４１の他端部が差し込まれる鞘部４２とを備えている。
軸部４１には、板ばね部６０を親指により押さえて折り曲げるときに、軸部４１を押さえる人差し指が押さえた位置からずれることを規制する突起部４３が、一端部４０ａ側に形成されている。本実施の形態の突起部４３は穴の空いた三角形状に突出している。
【００１７】
鞘部４２は、軸部４１が差し込まれる鞘部４２の軸線に沿った穴部（図示せず）の内周面に直線状の凸部または凹部が形成されている。また、軸部４１の軸線方向Ｆ１に沿って軸部４１の外周面に直線状の凹部または凸部によるレール部（図示せず）が形成されている。鞘部４２は、穴部の内周面に形成された凸部または凹部が、軸部４１の外周面に形成された凹部または凸部が嵌合することで、軸部４１の軸線方向Ｆ１に沿ってスライドする。
鞘部４２の底部には、鞘部４２がスライドしたときに、軸部４１に接続された板ばね部６０と干渉しないための溝部（図示せず）が、鞘部４２の軸線方向Ｆ１に沿って形成されている。
鞘部４２の上部には、衣類の肩部との隙間を空けるための凹部４２ａが、鞘部４２の軸線方向Ｆ１に沿って所定間隔ごとに形成されている。本実施の形態では、凹部４２ａは、鞘部４２の上面が切り欠かれたことにより、鞘部４２の穴部と連通している。
【００１８】
磁石５０は、一対の肩部４０（軸部４１）の双方の一端部４０ａに、肩部４０が閉じたときに向き合うように配置されている。磁石５０は、板ばね部６０が折れ曲がり一対の肩部４０が閉じた状態のときに板ばね部６０の復帰力に抗して吸着した状態を維持する磁力を有する。また、磁石５０は、一対の肩部４０のいずれか一方を下側にして傾斜させた状態であるときに、下側に位置した肩部４０の自重により吸着が外れる磁力を有する。
【００１９】
板ばね部６０は、肩部４０が閉じた状態のときに、肩部４０を開く方向へ付勢するばね部として機能するものである。板ばね部６０は、帯状のばね部材６１と、ばね部材の両端のそれぞれを支持すると共に、肩部４０（軸部４１）と接着する一対の支持部６２とを備えている。図２に示すように、ばね部材６１は、幅方向の断面形状が円弧状に形成されている。本実施の形態では、ばね部材６１として、金属製巻き尺のような、薄く形成され、直線状を維持しつつも、押圧すると、その位置から折れ曲がる帯状の板ばねを使用しており、ばね部材６１を下方に向かって膨らむように配置している。
【００２０】
以上のように構成された本考案の実施の形態に係るハンガー１０の使用状態について、図面に基づいて説明する。
図１に示すハンガー１０のように、肩部４０が開いた状態では、板ばね部６０のばね部材６１が直線状となる状態を維持しているため、肩部４０がヒンジ部３１から下方に向かって垂下することが阻止される。
【００２１】
このハンガー１０に衣類を掛けるときには、まず、使用者は、板ばね部６０のばね部材６１の中央部に親指を当て、人差し指を突起部４３に通し、掛けた状態で肩部４０（軸部４１）に当てる。そして、使用者は、親指でばね部材６１を押圧する。
軸部４１に突起部４３が形成されているため、肩部４０に人差し指を滑らせることなく、板ばね部６０を親指により折り曲げることができる。
【００２２】
ばね部材６１への押圧力が強くなると、ばね部材６１が直線状を保てなくなり、押圧した位置から折れ曲がる。ばね部材６１の折れ曲がりにより、板ばね部６０の支持部６２同士（肩部４０同士）がヒンジ部３１を中心に円弧を描くように接近することで、肩部４０が閉じた状態となる。
【００２３】
ばね部材６１の断面形状が円弧状に形成されているため、ばね部材６１の厚みが薄くても、直線状態のときは折れ曲がりにくく直線状態を維持しやすい。また、厚みが薄いばね部材６１は、一旦、折れ曲がると、簡単に折り曲げることができる。従って、板ばね部６０を軽量で構成することができる。また、ばね部材６１が折れ曲がった状態を維持する磁石５０の磁力を強力なものとしなくてもよい。
【００２４】
図３に示すように肩部４０が閉じると、磁石５０同士が吸着するため、ばね部材６１が折れ曲がりから復帰しようとしても阻止されるので、肩部４０を閉じた状態のままとすることができる。
肩部４０が閉じた状態となったことでハンガー１０の幅が狭くなるため、ハンガー１０を衣類の裾からわざわざ入れて襟首からフック部２０を出さなくても、肩部４０の先端側（鞘部４２側）から衣類の襟首に挿入して、フック部２０を襟首から出した状態とすることができる。
【００２５】
そして、フック部２０を持った状態で、一対の肩部４０のうち一方の肩部４０が下側になるように、ハンガー１０を左右方向に対して傾斜させると、一方の肩部４０の自重により、傾斜した状態の他方の肩部４０に対して、一方の肩部４０が垂下した状態に移動することで、磁石５０同士の吸着が解除される。そのため、ばね部材６１のばね力により、ばね部材６１が直線状に戻るので、肩部４０を開いた状態に直ぐに復帰させることができる。
【００２６】
肩部４０の自重により磁石５０同士の吸着が解除される程度の磁力を有する磁石５０を採用することにより、ハンガー１０を傾斜させるだけで磁石５０同士を離間させることができるため、簡単な操作でスピーディに肩部４０を閉じた状態から開いた状態へ復帰させることができる。
なお、本実施の形態では、磁石５０の磁力が肩部４０の自重で開く程度のものであるが、磁力が強い磁石であっても、磁石を指で離間させれば、ばね部材６１の復帰力により、肩部４０を開かせることができる。
【００２７】
肩部４０が衣類の中で開いた状態となると、使用者は、鞘部４２をスライドさせることで衣類の肩幅に、鞘部４２を合わせることができる。そして、フック部２０を、ハンガー用パイプに掛け、衣類を収納したりたり、物干し竿に掛け、洗濯物を干したりすることができる。
鞘部４２に凹部４２ａが形成されているため、洗濯物の衣類をハンガー１０に掛けたときに、衣類の肩部分と、ハンガー１０の肩部４０との間に隙間を設けることができるため、洗濯物を早く乾かすことができる。
【００２８】
ハンガー１０を衣類から外すときは、ばね部が板ばね部６０により形成されているため、襟首から指を挿入して、ばね部材６１を軽く押し上げることで、ばね部材６１が二つ折りに折れ曲がって、肩部４０同士が接近して閉じる。そのため、肩部４０が襟首から抜け、衣類が自重で落下する。
このように多数の洗濯物がハンガー１０により物干し竿に掛けられていても、簡単な操作で素早く、洗濯物を取り入れることができる。
【００２９】
このように、肩部４０を開いた状態に復帰させる板ばね部６０が形成されているため、吸着した磁石５０を離間させるだけで、簡単にハンガー１０を元の状態に復帰させることができる。従って、ハンガー１０は、衣類を吊るすときの操作と衣類を外すときのが容易である。
【００３０】
なお、本実施の形態では、磁石５０は一対設けられているが、肩部４０の軸部４１が金属製であれば、いずれか一方の磁石５０だけでもよい。
また、本実施の形態では、突起部４３がへの字状に形成されているが、板ばね部６０と反対側の軸部４１の上面から突出していれば棒状の突起でもよい。
更に、本実施の形態では、ばね部として、帯状のばね部材６１を有する板ばね部６０としていたが、肩部４０が閉じた状態のときに、肩部４０を開く状態に付勢する圧縮コイルとしてもよい。
【産業上の利用可能性】
【００３１】
本考案は、ハンガー用パイプに掛け、衣類を収納したりたり、物干し竿に掛け、洗濯物を干したりするハンガーに好適である。
【符号の説明】
【００３２】
１０  ハンガー
２０  フック部
２０ａ  下端
３０  首部
３１  ヒンジ部
４０  肩部
４０ａ  一端部
４１  軸部
４２  鞘部
４２ａ  凹部
４３  突起部
５０  磁石
６０  板ばね部
６１  ばね部材
６２  支持部
Ｆ１  軸線方向
【図１】
0003217447.tif 000003
【図２】
0003217447.tif 000004
【図３】
0003217447.tif 000005